(57)【要約】      （修正有）【課題】内側面と底の境界の角に沿って円形状にホースホルダーを設けることで渦巻状に給水し、給水を飛散させず、複数の容器を積み上げ収納してもホースホルダーが邪魔にならない容器を提供する。【解決手段】容器１の内側面４と底５の境界の角に沿って給水ホースを通すことができる穴又は溝を備えるホースホルダー２ａ，２ｂ，２ｃを設けたホースホルダー付き容器。内側面４と底５の境界の角に沿って少なくとも３箇所にホースホルダーを円形状に配置して設けたことにより、ホース先端部出口を一定方向へ向けて渦巻状に給水し、給水時の水圧によるホースの動きを止め給水を飛散させず、容器の底面を積み重ねても安定性がよく収納できる。【選択図】図１
0003117759.tif 000002
【実用新案登録請求の範囲】
【請求項１】
容器１の内側面４と底の境界の角に沿って円形状にホースホルダーを配置して設けたホースホルダー付き容器。
【請求項２】
ホースホルダーを内側面４と底の境界の角に沿って少なくとも３箇所に設けた請求項１に記載のホースホルダー付き容器。
【請求項３】
ホースホルダーの側部又は上部に開口部を有し、開口部からホースホルダーに給水ホースを装着する構造であることを特徴とする請求項１又は２に記載のホースホルダー付き容器。
【請求項４】
ホースホルダーは円筒形の穴に給水ホースを装着する構造であることを特徴とする請求項１又は２に記載のホースホルダー付き容器
【考案の詳細な説明】
【技術分野】
【０００１】
本考案は、水道から容器に給水する水圧の反作用により生じるホースの動きを止めるホースホルダーの設置箇所が容器の底にあって、給水が飛散しないように給水口が一定の方向に向き、給水ホースの先端部が容器の底にあるため作業の邪魔にならず、ホースホルダー付き容器の収納時に複数積み上げても安定性がよい容器に関するものである。
【背景技術】
【０００２】
バケツ、タライ、などの容器にホースを保持する装置は、給水の際に給水用のホース（以下「給水ホース」という。）が水圧の反作用で動き回るのを容器に固定できる利点があるので、特許文献に示されたようないろいろなホース保持具として実用に供されている。
実用のホース保持装置は、容器に給水ホースの保持ができるのみで実用上十分であった。
【０００３】
しかし、給水が飛び散るのを生じにくくするため容器の底辺に給水ホースを固定するためには、ホースの出口を容器の底に沿わせてホースを十分に容器の底辺に固定する必要がある。
特許文献２６〜２８は、容器と別体に作られたホース保持具であるから容器に着脱することができるものである。これらは、容器の収納時には取り外される。容器と保持具の分散を生じ、このために忘れられることになる。いずれの保持装置を使用するものであっても、給水ホースのホース出口が保持部より突出して邪魔になったり、ホース出口の固定の仕方が不安定である。例えば特許文献２０ではホースの出口が容器上縁の本体に設けられた保持部に挿し込まれるのみであり、水の出口が保持具から抜けやすいため給水ホースが外れることなどが起きる。
【０００４】
水圧のかかった水道水を容器に供給する用途において、給水の際にホースの出口から噴出した水圧により、給水ホースはこれにかかる反作用が生じ抜けやすい。この欠点は給水の障害であるのみならず、容器と保持部が一体になっている場合は、容器の収納に際して容器を積み上げると保持具が邪魔になる場合があるなどの欠点があった。
【０００５】
この改善策として、水圧がかかった給水ホースをさまざまなやり方で固定する方法がある。先行技術調査の結果を次に記載する。従来技術では、容器縁の取っ手の取り付け部に一緒に保持具を有するもの（例特許文献１〜４）、容器の取っ手にホースを保持できるようにしたもの（例特許文献５〜１８）、容器本体に保持部が一体であるもの（例特許文献１９〜２５）、容器に着脱可能な構造を持つ保持具であるもの（例特許文献２６〜２８）がある。
容器縁の取っ手の取り付け部に一緒に保持具を有するもの
【特許文献１】特開平０８―１５００８７号公報
【特許文献２】特開平０８―１５００８９号公報
【特許文献３】特開平０８―３３６４７０号公報
【特許文献４】実開昭５６−１６９８４０号公報 容器の取っ手にホースを保持できるようにしたもの
【特許文献５】特開平０８―１５００８６号公報
【特許文献６】特開平０８―１５００８８号公報
【特許文献７】特開平０７―１９１７７２号公報
【特許文献８】特開平０９―１０３３７７号公報
【特許文献９】特開平１０―９４４９２号公報
【特許文献１０】実開昭６０−６３１３８号公報
【特許文献１１】実開昭６１−７１０５４号公報
【特許文献１２】実開昭６２−４２５２号公報
【特許文献１３】実開昭６２−１５５７４７号公報
【特許文献１４】実開昭６３−７９８４２号公報
【特許文献１５】実開昭６３−８８２５１号公報
【特許文献１６】実開昭６３−１２９５４１号公報
【特許文献１７】実開昭６３−１９２９４２号公報
【特許文献１８】実開昭６３−１９６６４４号公報 容器本体に保持部が一体であるもの
【特許文献１９】実開昭５７−３６２４７号公報
【特許文献２０】実開昭５８−３７８４８号公報
【特許文献２１】実開昭５８−３７８４９号公報
【特許文献２２】実開昭５９−２７７４６号公報
【特許文献２３】実開昭５９−２７７４７号公報
【特許文献２４】実開昭５９−１４５３４４号公報
【特許文献２５】実開昭６０−２７８３５号公報 容器に着脱可能な構造を持つ保持具
【特許文献２６】実開昭５７−２７２４０号公報
【特許文献２７】実開平０３−６８８５１号公報
【特許文献２８】実開平０３−１０３０５２号公報
【特許文献２９】実開平０５−８８４６２号公報
【考案の開示】
【考案が解決しようとする課題】
【０００６】
解決しようとする問題点は、水道水を容器よりこぼれることなく給水ができるようにする場合に障害となる給水ホースを容器の底に固定できない点である。
【課題を解決するための手段】
【０００７】
本考案は、容器の底辺に位置させた給水ホースの出口より常に容器内側面に沿って流れるように給水し、柄杓で水遣り、雑巾の濯ぎ、洗濯物の濯ぎをするなどに使用可能とするため、底辺の角にホースホルダーを設けたものであってそのホースホルダーで給水ホースを保持し、内側面に沿うほぼ円形状にホースの先端部を容器の底角に位置させて給水することを最も主要な特徴とする。
【考案の効果】
【０００８】
本考案のホースホルダー付き容器は、容器の底に給水が流れるようにするため、実施例１，２に示すように容器内の底角に穴又は溝を備えるホースホルダーを設けて給水ホースの先端部をホルダーに通して、給水ホースを容器の底に円形状に配置するので、先端部出口を一定方向に向けて渦巻状に給水できるので飛び散らない。ホース先端部出口が外れたり、先端部がホースホルダーから出てもそれが邪魔にならないし、ホースホルダーは内部にあり幾つもの容器の積み上げもできるという利点がある。
【考案を実施するための最良の形態】
【０００９】
容器内の底にホースホルダーを設けて水圧がある水道水を飛び散らないように渦巻状に給水するという目的を、給水中のホースの先端部出口が外れず、ホースの先端部が邪魔にならず、容器の積み上げを損わずに実現した。ホースホルダーは、容器本体の底に内側面に沿って配設し、ホースホルダーに装着する給水ホースがほぼ円形状になるようにする。本考案を実施するに当たっては、ホースホルダーは容器本体に接着、固着、溶着、本体と一体成型のいずれであっても良い。
【実施例１】
【００１０】
図１〜４は、本考案装置の１実施例の断面図であって、１は容器、２ａ，２ｂ，２ｃはホース通しの穴を備えるホースホルダー、４は容器の内側面、５は容器内の底，  ６はホースを装着する穴である。
容器１の内側面４と底の境界の角に沿ってホースを装着する穴を備えるホースホルダーを設けたホースホルダー付き容器である。
【００１１】
実施例１のホースホルダー付き容器は、容器１の内側面４と底の境界の角に沿ってホース３を装着する穴６を備えるホースホルダー２を容器の底に内側面に沿い配設して、平面図（図４）に示すようにホースホルダー２にホースを装着してほぼ円形状に保持できるようにした。前記穴は、ホースホルダーに給水ホースを装着する手段であるからホースを通して挿し込める筒状又は柔らかいホースを押さえて挿し込める程度に開いている開口部分を有する溝状であってもよい。
【００１２】
実施例１では、前記のホースホルダーは、容器１の内側面４と底５の境界の角に沿って少なくとも３箇所（２ａ，２ｂ，２ｃ）に設けた。このように数箇所にホースホルダーを設けることによって、そこに装着した給水ホースに曲がりが生じて、飛び散らないように容器の内側面に沿った円形の渦巻状に給水することができる。
【００１３】
このようなホースホルダーの配置を円形状の底に内側面に沿わせるようにしたので、給水はホースから出て渦巻状になり容器の外に給水が飛び出るおそれはなくなる。又、数箇所のホースホルダーを通すことによってホースの先端部がホースホルダーから外れることがない。さらに、ホースの先端部は底に着いているからホースが邪魔にならず、容器から柄杓で散水するとき容易であって、雑巾や洗濯物の濯ぎの際に水が流れて濯ぎが容易となる効果がある。
【実施例２】
【００１４】
図５の実施例２は、ホースホルダーに設けた開口部７によって、ホースホルダーの穴にホースを通すだけでなくホースを挟み入れるように装着する。例えばホースホルダーの側部又は上部に開口する部分を有し、開口部７からホースホルダーに装着しホースを挟むことができる構造である。ホースを容器の底に保持するためには、ホースホルダーへのホースの装着又は取り外しの操作性が良いことが要となるので、ホースホルダーの穴の側面又は上面に開口する部分があることがホース装着操作の容易さにおおいに役立つものである。
【産業上の利用可能性】
【００１５】
容器の底に設けたホースホルダーを用いて容易に給水ホースの保持ができ、底の円形状に沿って三箇所のホルダーに給水ホースを取付けることによって、給水ホースを容器の底面にほぼ円形状に保持され渦巻状に給水可能になる。本考案の実施例は、タライ、バケツのような給水を貯める容器に適用できる。雑巾の濯ぎ、タライを使用する洗濯物の濯ぎの用途にもホース先端部が外れたり、ホース先端部の給水の出口に邪魔されたりせずに使用できる。ホースホルダーは常時容器の底に在っても、複数容器の積み上げに支障が生じない。
【図面の簡単な説明】
【００１６】
【図１】ホースホルダー付容器の収納状態を示した断面図である。（実施例１）
【図２】ホースホルダー付容器の実施方法を示した断面図である。（実施例１）
【図３】ホースホルダー付容器の使用方法を示した断面図である。（実施例１）
【図４】ホースホルダー付容器の使用方法を示した平面図である。（実施例１）
【図５】ホースホルダー付容器の実施方法を示した断面図である。（実施例２）
【符号の説明】
【００１７】
１    容器
２ａ，ｂ，ｃ    ホースホルダー
３    給水ホース
４    内壁
５    底（底辺）
６    穴
７    開口部
【図１】
0003117759.tif 000003
【図２】
0003117759.tif 000004
【図３】
0003117759.tif 000005
【図４】
0003117759.tif 000006
【図５】
0003117759.tif 000007